(57)【要約】【課題】特にトラバースメカ及びカム部品の位置決め構造に関して、簡単な構成で、確実に位置決め動作が可能なディスク装置を提供する。【解決手段】ローダーシャーシ１の左右両内側面には、ボス７ａの上下方向移動をガイドするガイド溝１ａと、ボス７ｂの上下方向移動をガイドするガイド溝１ｂとが設けられ、ガイド溝１ａの上部には、ボス７ａが乗り上げて係合する係合部１ａａが突設しており、下端にはボス７ａの下方向移動を規制する底面１ａｂが突設している。ガイド溝１ｂの上端には、ボス７ｂの上方向移動を規制する天井面１ｂａが設けられている。ディスクのクランプを行うときは、トラバースメカ２及びシフトレバー７が上昇し、ボス７ａ，７ｂがそれぞれガイド溝１ａ，１ｂにガイドされつつ上昇する。更にトラバースメカ２及びシフトレバー７が上昇すると、ボス７ａが係合部１ａａに乗り上げて係合した状態となる。【選択図】図４
2007172787.tif 000002
【特許請求の範囲】
【請求項１】
装置本体に固定のシャーシと、該シャーシに対して所定方向に昇降可能なトラバースメカと、光ピックアップを有するとともに前記トラバースメカに設けられて該トラバースメカの昇降方向に略直交する方向に移動可能なピックアップユニットとを備えたディスク装置であって、
前記トラバースメカの昇降の方向及び前記ピックアップユニットの移動方向に対して略直交する方向に移動できるように前記シャーシに設けられたカムスライダーと、該カムスライダーとのカム係合により前記トラバースメカを昇降させるように該トラバースメカに設けられたシフトレバーとを備えたディスク装置において、
前記シフトレバーの左右両側面に第１のボスを設けるとともに、前記シャーシの左右両内側面に前記第１のボスをそれぞれガイドする第１のガイド溝を設け、ディスクのクランプ時には、前記第１のボスが前記第１のガイド溝に備えた係合部にそれぞれ乗り上げて係合するようにしてなり、
前記シフトレバーの左右両側面で該シフトレバーの略回動中心となる位置に第２のボスを設けるとともに、前記シャーシの左右両内側面に前記第２のボスをそれぞれガイドする第２のガイド溝を設けてなり、
ディスクのアンクランプ時には、前記シフトレバーが前記第２のボスを中心として下方に旋回することにより、前記第１のガイド溝に備えた係合部に対する前記第１のボスの係合が外れるようにしたことを特徴とするディスク装置。
【請求項２】
装置本体に固定のシャーシと、該シャーシに対して所定方向に昇降可能なトラバースメカと、光ピックアップを有するとともに前記トラバースメカに設けられて該トラバースメカの昇降方向に略直交する方向に移動可能なピックアップユニットとを備えたディスク装置であって、
前記トラバースメカの昇降の方向及び前記ピックアップユニットの移動方向に対して略直交する方向に移動できるように前記シャーシに設けられたカムスライダーと、該カムスライダーとのカム係合により前記トラバースメカを昇降させるように該トラバースメカに設けられたシフトレバーとを備えたディスク装置において、
前記シフトレバーの左右両側面に第１のボスを設けるとともに、前記シャーシの左右両内側面に前記第１のボスをそれぞれガイドする第１のガイド溝を設け、ディスクのクランプ時には、前記第１のボスが前記第１のガイド溝に備えた係合部にそれぞれ乗り上げて係合するようにしたことを特徴とするディスク装置。
【請求項３】
前記シフトレバーの左右両側面で該シフトレバーの略回動中心となる位置に第２のボスを設けるとともに、前記シャーシの左右両内側面に前記第２のボスをそれぞれガイドする第２のガイド溝を設けたことを特徴とする請求項２に記載のディスク装置。
【発明の詳細な説明】
【技術分野】
【０００１】
本発明は、ＣＤ，ＤＶＤ等のディスクに対して記録或いは再生を行うディスク装置に関するものであり、特に、トラバースメカ及びカム部品の位置決め構造に関するものである。
【背景技術】
【０００２】
従来より、ディスク装置として、ディスクを載置したディスクトレイを本体内に移動させ、本体内に設けたディスクホルダ（クランパー）とターンテーブルとの間にディスクをクランプして、ディスクに対して記録或いは再生を行うようにしたものが知られている。さらに近年、装置の小型化や部品の簡素化等を図ったものが提案されてきている。
【０００３】
例えば、トラバースユニットの位置決めを正しく行うことができ、またディスク装置の外部からの衝撃が伝わらないようにし、さらにディスク装置の外部からの退避位置においてもトラバースユニットの姿勢を安定させるようにしたものが、特許文献１に開示されている。
【０００４】
具体的には、トラバースユニットの一端側は緩衝部材を介して軸支し、他端側には突起部を形成したホルダーを緩衝部材を介して取り付け、他端側近傍に設けたスライダーのカム溝にホルダーの突起部を遊嵌してスライダーのスライドに伴ってトラバースユニットは上下方向に揺動可能とし、また、ホルダーの両側にはリブを形成するとともに、そのリブを位置決め部材に形成した溝部に嵌めた構成としている。
【特許文献１】特開２００４−１５２３８８号公報
【発明の開示】
【発明が解決しようとする課題】
【０００５】
しかしながら、上記特許文献に記載されているような構成では、ホルダーの両側に形成されたリブを位置決め部材に形成された溝部に嵌める構造であるため、上下方向の位置決めは部品精度及び剛性に依存しており、不十分であった。本発明は、このような問題点に鑑み、特にトラバースメカ及びカム部品の位置決め構造に関して、簡単な構成で、確実に位置決め動作が可能なディスク装置を提供することを目的とする。
【課題を解決するための手段】
【０００６】
上記目的を達成するために、本発明では、装置本体に固定のシャーシと、該シャーシに対して所定方向に昇降可能なトラバースメカと、光ピックアップを有するとともに前記トラバースメカに設けられて該トラバースメカの昇降方向に略直交する方向に移動可能なピックアップユニットとを備えたディスク装置であって、前記トラバースメカの昇降の方向及び前記ピックアップユニットの移動方向に対して略直交する方向に移動できるように前記シャーシに設けられたカムスライダーと、該カムスライダーとのカム係合により前記トラバースメカを昇降させるように該トラバースメカに設けられたシフトレバーとを備えたディスク装置において、前記シフトレバーの左右両側面に第１のボスを設けるとともに、前記シャーシの左右両内側面に前記第１のボスをそれぞれガイドする第１のガイド溝を設け、ディスクのクランプ時には、前記第１のボスが前記第１のガイド溝に備えた係合部にそれぞれ乗り上げて係合するようにしたことを特徴とする。
【０００７】
また、前記シフトレバーの左右両側面で該シフトレバーの略回動中心となる位置に第２のボスを設けるとともに、前記シャーシの左右両内側面に前記第２のボスをそれぞれガイドする第２のガイド溝を設けたことを特徴とする。
【０００８】
また、ディスクのアンクランプ時には、前記シフトレバーが前記第２のボスを中心として下方に旋回することにより、前記第１のガイド溝に備えた係合部に対する前記第１のボスの係合が外れるようにしたことを特徴とする。
【発明の効果】
【０００９】
本発明によれば、特にトラバースメカ及びカム部品の位置決め構造に関して、簡単な構成で、確実に位置決め動作が可能なディスク装置を提供することができる。
【発明を実施するための最良の形態】
【００１０】
以下、本発明の実施の形態について、図面を参照しながら説明する。
【実施例１】
【００１１】
図１は、本発明の実施例１に係るディスク装置のディスクローダーを示す図であり、平面図としている。このディスク装置は、ディスクを搬送するトレイ（不図示）と、トレイの搬送方向（前後方向）に略垂直な方向に、ダンパー４を中心に旋回して昇降可能なトラバースメカ２とが、ローダーシャーシ１に設けられている。なお、ローダーシャーシ１は図示しない装置本体に固定されている。トラバースメカ２には、ディスクの記録または再生を行う光ピックアップを有したピックアップユニット３が設けられている。このピックアップユニット３は、ディスクの径方向に移動できるようになっている。
【００１２】
また、トラバースメカ２の前方でローダーシャーシ１側にはカムスライダー６が配されており、これはトラバースメカ２の前部に図示しないダンパーを介して設けられたシフトレバー７とカム係合し、トレイの搬送方向（前後方向）及びトラバースメカ２の昇降方向と略直交する方向（左右方向）に移動できる。これにより、シフトレバー７ひいてはトラバースメカ２が昇降する。上記構成のディスク装置において、トレイにディスクが載置されると、トレイがディスクローダー内に搬送される。トレイが所定位置に配されると、カムスライダー６はトレイの搬送方向に垂直な方向（左右方向）に移動し、トラバースメカ２を上昇させる。これにより、トラバースメカ２がディスクに係合してディスクがクランプされる。
【００１３】
ここで、ローダーシャーシ１の上側に左右方向に渡って略長板状のクランパーホルダー５が架設されており、その中央には略円板状のクランパー（不図示）が回転自在に設けられている。一方、図示しないターンテーブルがトラバースメカ２から上方に突設している。上述したディスクのクランプ時には、トラバースメカ２が上昇することによりディスクの中心孔がターンテーブルに嵌合し、更にトラバースメカ２が上昇することによりディスクがターンテーブルとクランパーとの間に挟み込まれる。ディスクがクランプされると、ピックアップユニット３がディスクの径方向へ移動し、ディスクの所定位置で記録または再生を行う。また、ディスクを取り出す際には上記と逆の動作が行われる。
【００１４】
図２は、シフトレバーの斜視図である。同図に示すように、シフトレバー７の左右両端近傍には、上面に円柱状の支柱７ｃが設けられており、それぞれの上端よりボス７ｄが同心状に突設している。シフトレバー７には、図示しないダンパーがそれぞれ左右のボス７ｄに填め込まれる。このとき、支柱７ｃの上端がダンパー受け面となる。そして、このダンパーを介してシフトレバー７がトラバースメカ２に取り付けられる。また、シフトレバー７の左右両側面には、上記ダンパーによる回動中心と略同心となる位置に、略円柱状のボス７ｂが突設しており、その後側斜め下方には、外周面に角部のある略円柱状で比較的小径のボス７ａが突設している。
【００１５】
図３は、ディスクのクランプ動作を示す図であり、図１のＡ−Ａ断面を示している。同図（ａ）はアンクランプ状態、同図（ｂ），（ｃ）はクランプ途中状態、同図（ｄ）はクランプ状態である。また、図４は図３の要部（Ｂ部）詳細図であり、同図（ａ）はアンクランプ状態、同図（ｂ），（ｃ）はクランプ途中状態、同図（ｄ）はクランプ状態を示している。
【００１６】
各図に示すように、ローダーシャーシ１の左右両内側面には、上記ボス７ａの上下方向移動をガイドするガイド溝１ａと、上記ボス７ｂの上下方向移動をガイドするガイド溝１ｂとが設けられている。そして、ガイド溝１ａの上部には、ボス７ａが乗り上げて係合する係合部１ａａが突設しており、下端にはボス７ａの下方向移動を規制する底面１ａｂが突設している。一方、ガイド溝１ｂの上端には、ボス７ｂの上方向移動を規制する天井面１ｂａが設けられている。
【００１７】
ディスクのクランプを行うときは、同図（ａ）の状態からトラバースメカ２及びシフトレバー７が上昇し、同図（ｂ），（ｃ）に示すように、ボス７ａ，７ｂがそれぞれガイド溝１ａ，１ｂにガイドされつつ上昇する状態となる。更にトラバースメカ２及びシフトレバー７が上昇すると、同図（ｄ）に示すように、ボス７ａが係合部１ａａに乗り上げて係合した状態となる。この状態では、シフトレバー７はボス７ａの係合部１ａａへの係合により下方向に対して拘束され、上方向に対してはボス７ｂの天井面１ｂａへの当接により拘束されるので、確実に位置決めをすることができる。
【００１８】
一方、ディスクのアンクランプを行うときは、同図（ｄ）の状態からまずシフトレバー７が上記ダンパーひいてはボス７ｂを中心として下方に旋回することにより、係合部１ａａに対するボス７ａの係合が外れ、同図（ｃ）に示すように、ボス７ａがガイド溝１ａの後面に当接する。続いてトラバースメカ２及びシフトレバー７が下降すると、同図（ｂ）に示すように、ボス７ａ，７ｂがそれぞれガイド溝１ａ，１ｂにガイドされつつ下降する状態となる。更にトラバースメカ２及びシフトレバー７が下降すると、同図（ａ）に示すように、ボス７ａが底面１ａｂに当接した状態となる。
【００１９】
以上のようにして、ボス７ａ，７ｂがそれぞれガイド溝１ａ，１ｂにガイドされることにより、トラバースメカ２及びシフトレバー７が確実に昇降し、位置決めを行うことができる。特に、クランプ部にマグネットを用いた構成の場合でも、ボス７ａがガイド溝１ａにガイドされ、シフトレバー７が確実に下降するので、ひいてはトラバースメカ２も確実に下降し、マグネットの磁力に抗して確実にアンクランプを行うことができる。
【００２０】
なお、図５は本実施例におけるディスクローダーのシャーシの斜視図である。また、図６は図５の要部（Ｃ部）詳細図であり、ガイド溝付近を示している。同図に示すように、ガイド溝１ａの前側面１ａｃはクランプ時のボス７ａのガイド部となっており、後側面１ａｄはアンクランプ時のボス７ａのガイド部となっている。また、ガイド溝１ｂの前側面１ｂｂはアンクランプ時のボス７ｂのガイド部となっており、後側面１ｂｃはクランプ時のボス７ｂのガイド部となっている。
【図面の簡単な説明】
【００２１】
【図１】本発明の実施例１に係るディスク装置のディスクローダーを示す図。
【図２】シフトレバーの斜視図。
【図３】ディスクのクランプ動作を示す図。
【図４】図３の要部詳細図。
【図５】実施例１におけるディスクローダーのシャーシの斜視図。
【図６】図５の要部詳細図。
【符号の説明】
【００２２】
１    ローダーシャーシ
１ａ    ガイド溝
１ａａ    係合部
１ａｂ    底面
１ｂ    ガイド溝
１ｂａ    天井面
２    トラバースメカ
３    ピックアップユニット
４    ダンパー
５    クランパーホルダー
６    カムスライダー
７    シフトレバー
７ａ，７ｂ    ボス
７ｃ    支柱
７ｄ    ボス
【図１】
2007172787.tif 000003
【図２】
2007172787.tif 000004
【図３】
2007172787.tif 000005
【図４】
2007172787.tif 000006
【図５】
2007172787.tif 000007
【図６】
2007172787.tif 000008